(57)【要約】      （修正有）【課題】個別に回転可能な電源コネクタを提供する。【解決手段】外付け電源装置１と、電源接続装置２と、複数のソケット３とを備える。電源接続装置２を外付け電源装置１に接続し、電源接続装置２の絶縁本体２１下方に係止部を設け、ソケット３両側の表面にそれぞれ位置決め部３４と、位置決め孔３２を設け、複数のソケット３を並列して絶縁本体２１に枢接することにより、それぞれに枢転することができ、位置決め部３４が隣接するソケット３の位置決め孔３２に位置しており、係止部を位置決め孔３２に内設し、各ソケット３が一定角度において枢転することができる。【選択図】図２
0003218716.tif 000002
【実用新案登録請求の範囲】
【請求項１】
個別に回転可能な電源コネクタであって、外付け式電源装置と、電源接続装置と、複数のソケットと、を備え、
前記電源接続装置を前記外付け式電源装置に接続し、前記ソケットを前記電源接続装置の外側に取り付け、
前記電源接続装置に絶縁本体を有し、前記絶縁本体の下方は間隔置きに配列した複数の係止部を設け、前記ソケットの対向する２つの表面にそれぞれ連絡する枢椄孔と、位置決め孔を設け、前記位置決め孔と、前記枢椄孔が同じ軸線上に位置しており、前記位置決め孔の内径が前記枢椄孔の内径より大きく、前記ソケットの側面は前記枢椄孔外縁部に位置決め部を延設し、複数のソケットが前記枢椄孔に従って並列して前記絶縁本体に枢接することによって、前記ソケットの位置決め部が隣接する前記ソケットの前記位置決め孔に位置され、前記電源接続装置の前記係止部がそれぞれ前記位置決め孔の内部に位置して、前記各ソケットが前記絶縁本体において枢転することに、前記位置決め部が前記係止部の係止によって、回し角度が制限されることを特徴とする、個別に回転可能な電源コネクタ。
【請求項２】
前記絶縁本体はベース部と、複数の制限プレートと、複数のスペーサーと、を含み、前記複数の制限プレートを間隔を置いて、前記ベース部の表面に配列し、かつ、前記制限プレートの配列方向が前記ソケットの枢接方向に同じで、前記スペーサーは間隔を置いて前記制限プレートの外縁部に接続していて、かつ、前記制限プレートの並列方向に延在することによって、隣接する前記２つの制限プレートの間に並列方向が前記複数のソケットと同じ回転方向の導電スペースを形成され、前記ソケットの表面に受け口を設け、前記受け口の延在方向と、前記ソケットの枢接方向と垂直することを特徴とする、請求項１記載の個別に回転可能な電源コネクタ。
【考案の詳細な説明】
【技術分野】
【０００１】
本考案は個別に回転可能な電源コネクタに関し、特にソケットを回して位置固定し、差し込むときにソケット孔を遮ることなく、プラグとソケットとの接続角度を改変可能で個別に回転可能な電源コネクタに関する。
【背景技術】
【０００２】
一般に、電源コネクタ（延長コードなどのソケットを使用する際、角度によっては、プラグに接続する電源コードを曲げて置かないとソケットに挿入することはできない。そのため、電源コードの安全に影響する恐れがある。よって、当業者より３６０度に回転可能なソケットが設計されている。しかしながら、この種のソケットにはすべての受け口を一斉に回転しなければならず、受け口を個別に角度調節することはできなく、かつ、回転角度の制限が設けられていないため、使用者が受け口を使用できない角度に回してしまう可能性がある。
【考案の概要】
【考案が解決しようとする課題】
【０００３】
本考案の目的は、複数のソケットを互いに枢接して、個別に枢転し、利用者が便利に使用できることを図る。さらに、各ソケットを枢転したとき、絶縁本体底部が係止部の係止によって、回転角度が制限され、使用は必要に応じて、プラグとソケットの接続角度を改変することができ、ソケットが特定角度に回されて、使用するときに遮られて、使用できないことを防げる。
【課題を解決するための手段】
【０００４】
前述目的を達成するため、本考案は外付け式電源装置と、電源接続装置と、複数のソケットとを設けられている。かかる電源接続装置の絶縁本体の下方に、間隔を置いて配列された複数の係止部を設け、ソケットの対向する２つの表面の同じ軸線上にそれぞれ連絡する枢椄孔と位置決め孔を設け、ソケットの表面は枢椄孔の外縁部に位置決め部を延設され、複数のソケットが枢椄孔に従って配列され、絶縁本体に枢接することにより、ソケットの位置決め部が隣接するソケットの位置決め孔に位置し、電源接続装置の係止部がそれぞれ位置決め孔の内部に位置することによって、各ソケットが絶縁本体において枢転する際、位置決め部が係止部の係止によって、回転角度が制限される。
【図面の簡単な説明】
【０００５】
【図１】本考案の立体外観図である。
【図２】本考案の立体分解図である。
【図３】本考案の絶縁本体の立体外観図である。
【図４】本考案の絶縁本体の立体分解図である。
【図５】本考案のソケットの取り付けを示す図である。
【図６】本考案のソケットを時計方向に回した立体外観図である。
【図７】図６の局所を拡大した立体外観図である。
【図８】図７Ａ−Ａの断面線からとった断面図である。
【図９】図７の局所を拡大した立体外観図である。
【図１０】図９Ｂ−Ｂの断面線からとった断面図である。
【図１１】本考案のソケットを時計方向に回した態様図である。
【図１２】図１１Ｃ−Ｃの断面線からとった断面図である。
【考案を実施するための形態】
【実施例】
【０００６】
図１ないし図４を参照する。図から明確なように、本考案の個別に回転可能な電源コネクタは、外付け式電源装置１と、電源接続装置２と、複数のソケット３とを備える。電源接続装置２を外付け式電源装置１に接続し、複数のソケット３を並列して、電源接続装置２の外側に並列して枢椄する。
【０００７】
そのうち、外付け式電源装置１は第１絶縁ハウジング１１と、第２絶縁ハウジング１２と、電源コード１３と、を含み、電源コード１３を第１絶縁ハウジング１１の一側に接続されている。
【０００８】
電源接続装置２は、絶縁本体２１と、導電端子２２と、固定素子２３と、を含み、絶縁本体２１の両端をそれぞれ外付け式電源装置１の第１絶縁ハウジング１１と、第２絶縁ハウジング１２とを接続し、導電端子２２を絶縁本体２１の底部に取り付けて、かつ、電源コード１３と電気接続し、導電端子２２に絶縁本体２１を貫いて設ける通電部２２１を有し、固定素子２３を導電端子２２の下方に取り付けていて、底面に間隔置きに配列する複数の係止部２３１を凸設し、表面に導電端子２２を貫いて、導電端子２２を絶縁本体２１の底面に固定する位置決め柱２３２が凸設されている。
【０００９】
ソケット３は２つの対向表面に、互いに連絡する枢椄孔３１と、位置決め孔３２とをそれぞれ設け、位置決め孔３２と、枢椄孔３１が同じ軸線上に位置していて、かつ、位置決め孔３２の内径が枢椄孔３１の内径より大きく、位置決め孔３２と、枢椄孔３１との繋ぎ場所に段差部３３を形成していて、かつ、ソケット３の側面が枢椄孔３１の外縁部に位置決め部３４を延設し、ソケット３の表面に延在方向と、ソケット３の枢接方向と垂直する受け口３５を設けており、枢椄孔３１内面を切り込んで、位置決め孔３２に連絡する切り取り孔３１１を設けている。
【００１０】
引き続き、図２ないし図５を参照する。図から明確なように、本考案を組み立てるときは、複数のソケット３の枢椄孔３１を並列して、絶縁本体２１に枢接して、電源接続装置２の係止部２３１を切り取り孔３１１に進入させ、ソケット３の移動に追随して、位置決め孔３２に進入して、電源接続装置２の複数の係止部２３１をそれぞれ位置決め孔３２に位置させて、ソケット３の位置決め部３４を隣接するソケット３の位置決め孔３２に進入し、位置決め孔３２と、段差部３３の内側に係合して固定を形成する。
【００１１】
引き続き図２、図６ないし図８を参照する。図から明確なように、電源接続装置２の絶縁本体２１がベース部２１１と、複数の制限プレート２１２と、複数のスペーサー２１３と、を含み、複数の制限プレート２１２を間隔置きベース部２１１の表面に並列設置していて、かつ、制限プレート２１２の配列方向がソケット３の枢接方向と同じであり、スペーサー２１３を間隔置き制限プレート２１２の外縁部に接続していて、かつ、制限プレート２１２の配列方向に伸ばすことによって、隣接するプレート２１２の間に並列方向がソケット３の回転方向と同じの複数の導電スペース２１４を形成する。通常状態のとき、ソケット３の受け口３５が絶縁本体２１上方の導電スペース２１４の真正面に位置し、導電端子２２の通電部２２１が隣接する２つの制限プレート２１２の中央部に位置する。
【００１２】
図９ないし図１２を参照する。図から明確なように、ソケット３が絶縁本体２１で時計方向に回したとき、位置決め部３４がソケット３の回転に追随して、位置決め孔３２内部にて角度を改変し、位置決め部３４が９０度に回転したとき、係止部２３１の係止を受けて位置が固定され、受け口３５がちょうど絶縁本体２１右側の導電スペース２１４の真正面に位置して、プラグ（図示せず）の挿入及び導電端子２２との電気接続に提供できる。さらに、スペーサー２１３によって、プラグを阻止して置き、ソケット３がプラグと接続した後に枢転されることを避ける。これに対して、ソケット３が絶縁本体２１で逆時計方向に回したとき、位置決め部３４が位置決め孔３２にて、逆方向に９０度を回転し、係止部２３１の係止を受けて位置が固定され、受け口３５がちょうど絶縁本体２１左側の導電スペース２１４に位置して、プラグの挿入及び導電端子２２と電気接続に提供できる。使用の都合に基づき、プラグと、ソケット３との接続角度を改変して、ソケット３の受け口３５が絶縁本体２１下方に回して、電源接続装置を取り付けた後、遮られて、使用できないことを避けられる。
【符号の説明】
【００１３】
１        外付け式電源装置
１１      第１絶縁ハウジング
１２      第２絶縁ハウジング
１３      電源コード
２        電源接続装置
２１      絶縁本体
２１１    ベース部
２１２    制限プレート
２１３    スペーサー
２１４    導電スペース
２２      導電端子
２２１    導電部
２３      固定素子
２３１    係止部
２３２    位置決め柱
３        ソケット
３１      枢椄孔
３１１    切り取り溝
３２      位置決め孔
３３      段差部
３４      位置決め部
３５      受け口
【図１】
0003218716.tif 000003
【図２】
0003218716.tif 000004
【図３】
0003218716.tif 000005
【図４】
0003218716.tif 000006
【図５】
0003218716.tif 000007
【図６】
0003218716.tif 000008
【図７】
0003218716.tif 000009
【図８】
0003218716.tif 000010
【図９】
0003218716.tif 000011
【図１０】
0003218716.tif 000012
【図１１】
0003218716.tif 000013
【図１２】
0003218716.tif 000014